(57)【要約】【課題】映像信号の輝度レベルに応じて光源駆動周波数及びライトバルブ駆動周波数を制御することによって、光量を落とすことなく、カラーブレーク現象の発生を防止する。【解決手段】本発明に係る映像表示制御装置１は、映像信号の輝度レベルを検出する輝度レベル検出手段２０と、検出された輝度レベルに応じて、光源において複数の色の光を順次出射するタイミングを規定する光源駆動周波数を決定し、決定した光源駆動周波数で光源を駆動する光源駆動回路２１と、検出された輝度レベルに応じて、ライトバルブにおいて光源によって出射された光を画素単位で変調するタイミングを規定するライトバルブ駆動周波数を決定し、決定したライトバルブ駆動周波数でライトバルブを駆動するライトバルブ駆動回路とを具備する。【選択図】図１
2007094171.tif 000002
【特許請求の範囲】
【請求項１】
入力された映像信号に基づいて映像を表示するための制御を行う映像表示制御装置であって、
前記映像信号の輝度レベルを検出する輝度レベル検出手段と、
検出された前記輝度レベルに応じて、光源において複数の色の光を順次出射するタイミングを規定する光源駆動周波数を決定し、決定した該光源駆動周波数で該光源を駆動する光源駆動回路と、
検出された前記輝度レベルに応じて、ライトバルブにおいて前記光源によって出射された光を画素単位で変調するタイミングを規定するライトバルブ駆動周波数を決定し、決定した該ライトバルブ駆動周波数で該ライトバルブを駆動するライトバルブ駆動回路とを具備することを特徴とする映像表示制御装置。
【請求項２】
前記光源駆動回路は、前記輝度レベルが増加した場合、前記光源駆動周波数を小さくし、前記輝度レベルが減少した場合、前記光源駆動周波数を大きくするように構成されており、
前記ライトバルブ駆動回路は、前記輝度レベルが増加した場合、前記ライトバルブ駆動周波数を小さくし、前記輝度レベルが減少した場合、前記ライトバルブ駆動周波数を大きくするように構成されていることを特徴とする請求項１に記載の映像表示制御装置。
【請求項３】
前記光源駆動回路は、前記輝度レベルが所定値以下となった場合、出射する光の単位時間当たりの光量を増加させるように前記光源を駆動することを特徴とする請求項１又は２に記載の映像表示制御装置。
【請求項４】
前記光源駆動回路は、前記輝度レベルが所定値以上となった場合、出射する光の単位時間当たりの光量を減少させるように前記光源を駆動することを特徴とする請求項１乃至３のいずれか一項に記載の映像表示制御装置。
【請求項５】
前記光源は、固体光源であることを特徴とする請求項１乃至４のいずれか一項に記載の映像表示制御装置。
【請求項６】
映像表示装置と、
前記映像表示装置からの光を投写する投写光学系と、
前記映像表示装置を制御する請求項１乃至５のいずれかの映像表示制御装置とを具備することを特徴とする投写型映像表示装置。
【請求項７】
映像表示装置と、
前記映像表示装置からの光を投写する投写光学系と、
投写された光を投影するスクリーンと、
前記映像表示装置を制御する請求項１乃至５のいずれかの映像表示制御装置とを具備することを特徴とする背面投写型映像表示装置。
【発明の詳細な説明】
【技術分野】
【０００１】
本発明は、入力された映像信号に基づいて映像を表示するための制御を行う映像表示制御装置、かかる映像表示制御装置を備えた投写型映像表示装置及び背面投写型映像表示装置等に関する。
【背景技術】
【０００２】
従来、所定の点灯周波数（光源駆動周波数）で複数の色（例えば、Ｒ、Ｇ、Ｂ）の光を順次出射する光源と、所定のリフレッシュレート（ライトバルブ駆動周波数）で光源によって出射された光を画素単位で変調するライトバルブとを具備する映像表示装置が知られている。なお、点灯周波数とリフレッシュレートとは同期している（特許文献１参照）。
【０００３】
また、従来の映像表示装置では、ライトバルブへの映像信号の書き込みを考慮して、光源において、一定の非点灯期間（黒表示期間）を設ける必要がある。かかる非点灯時間は、ライトバルブでのデータ転送速度に依存するため、光源の点灯周波数及びライトバルブのリフレッシュレートによらず一定である。
【特許文献１】特開２００２−１８９２６３号公報
【発明の開示】
【発明が解決しようとする課題】
【０００４】
しかしながら、かかる従来の映像表示装置では、点灯周波数やリフレッシュレートが低い場合、カラーブレーク現象が視認されるという問題点があった。ここで、カラーブレーク現象とは、字幕の切り替わりや早い動きを追う際等に、映像に虹模様が見られる現象をいう。
【０００５】
一方、点灯周波数やリフレッシュレートを高くすると、カラーブレーク現象は視認されなくなるが、全期間に占める黒表示期間の割合が増加して、光源から出射される光の光量が減少し、画面全体が暗くなるという問題点があった。
【０００６】
また、カラーブレーク現象は、画面全体が暗い中で物体が動く場合には、画面全体が明るい中で物体が動く場合に比べて、視認されやすいという特徴を持つ。
【０００７】
そこで、本発明は、以上の点に鑑みてなされたもので、映像信号の輝度レベルに応じて光源駆動周波数及びライトバルブ駆動周波数を制御することによって、光量を落とすことなく、カラーブレーク現象の発生を防止することができる映像表示制御装置、かかる映像表示制御装置を備えた投写型映像表示装置及び背面投写型映像表示装置等を提供することを目的とする。
【課題を解決するための手段】
【０００８】
本発明の第１の特徴は、入力された映像信号に基づいて映像を表示するための制御を行う映像表示制御装置であって、前記映像信号の輝度レベルを検出する輝度レベル検出手段と、検出された前記輝度レベルに応じて、光源において複数の色の光を順次出射するタイミングを規定する光源駆動周波数を決定し、決定した該光源駆動周波数で該光源を駆動する光源駆動回路と、検出された前記輝度レベルに応じて、ライトバルブにおいて前記光源によって出射された光を画素単位で変調するタイミングを規定するライトバルブ駆動周波数を決定し、決定した該ライトバルブ駆動周波数で該ライトバルブを駆動するライトバルブ駆動回路とを具備することを要旨とする。
【０００９】
本発明の第１の特徴において、前記光源駆動回路は、前記輝度レベルが増加した場合、前記光源駆動周波数を小さくし、前記輝度レベルが減少した場合、前記光源駆動周波数を大きくするように構成されており、前記ライトバルブ駆動回路は、前記輝度レベルが増加した場合、前記ライトバルブ駆動周波数を小さくし、前記輝度レベルが減少した場合、前記ライトバルブ駆動周波数を大きくするように構成されていてもよい。
【００１０】
かかる発明によれば、映像信号の輝度レベルが減少して画面が暗くなることが想定される場合に、光源駆動周波数及びライトバルブ駆動周波数を大きくすることによって、カラーブレーク現象の発生を防止することができる。
【００１１】
また、かかる発明によれば、映像信号の輝度レベルが増加してカラーブレークが視認されにくくなる場合、光源駆動周波数及びライトバルブ駆動周波数を小さくすることによって、画面を明るくすることができる。
【００１２】
本発明の第１の特徴において、前記光源駆動回路は、前記輝度レベルが所定値以下となった場合、出射する光の単位時間当たりの光量を増加させるように前記光源を駆動してもよい。
【００１３】
かかる発明によれば、映像信号の輝度レベルが所定値以下となり画面が暗くなることが想定される場合、光源から出射される光の単位時間当たりの光量を増加させることによって、画面を明るくしてカラーブレーク現象の発生を防止することができる。
【００１４】
また、本発明の第１の特徴において、前記光源駆動回路は、前記輝度レベルが所定値以上となった場合、出射する光の単位時間当たりの光量を減少させるように前記光源を駆動してもよい。
【００１５】
かかる発明によれば、映像信号の輝度レベルが所定値以上となり画面が明るくなることが想定される場合、光源から出射される光の単位時間当たりの光量を減少させることによって、画面の明るさを維持しながら、カラーブレーク現象の発生を防止することができる。
【００１６】
本発明の第２の特徴は、入力された映像信号に基づいて映像を表示するための制御を行う映像表示制御装置を備えた投写型映像表示装置であって、前記映像表示制御装置は、前記映像信号の輝度レベルを検出する輝度レベル検出手段と、検出された前記輝度レベルに応じて、光源において複数の色の光を順次出射するタイミングを規定する光源駆動周波数を決定し、決定した該光源駆動周波数で該光源を駆動する光源駆動回路と、検出された前記輝度レベルに応じて、ライトバルブにおいて前記光源によって出射された光を画素単位で変調するタイミングを規定するライトバルブ駆動周波数を決定し、決定した該ライトバルブ駆動周波数で該ライトバルブを駆動するライトバルブ駆動回路とを具備することを要旨とする。
【００１７】
本発明の第３の特徴は、入力された映像信号に基づいて映像を表示するための制御を行う映像表示制御装置を備えた背面投写型映像表示装置であって、前記映像表示制御装置は、前記映像信号の輝度レベルを検出する輝度レベル検出手段と、検出された前記輝度レベルに応じて、光源において複数の色の光を順次出射するタイミングを規定する光源駆動周波数を決定し、決定した該光源駆動周波数で該光源を駆動する光源駆動回路と、検出された前記輝度レベルに応じて、ライトバルブにおいて前記光源によって出射された光を画素単位で変調するタイミングを規定するライトバルブ駆動周波数を決定し、決定した該ライトバルブ駆動周波数で該ライトバルブを駆動するライトバルブ駆動回路とを具備することを要旨とする。
【発明の効果】
【００１８】
以上説明したように、本発明によれば、映像信号の輝度レベルに応じて光源駆動周波数及びライトバルブ駆動周波数を制御することによって、光量を落とすことなく、カラーブレーク現象の発生を防止することができる映像表示制御装置、かかる映像表示制御装置を備えた投写型映像表示装置及び背面投写型映像表示装置等を提供することができる。
【発明を実施するための最良の形態】
【００１９】
（本発明の第１の実施形態に係る映像表示装置の構成）
図１乃至図３を参照して、本発明の第１の実施形態に係る投写型映像表示装置１Ａの構成について説明する。
【００２０】
図１に示すように、本実施形態に係る投写型映像表示装置１Ａは、映像表示制御装置１と、光源１０と、クロスプリズム１１と、ロッドインテグレータ１２と、偏光板１３Ａ、１３Ｂと、液晶パネル１４と、投写レンズ１５とを具備している。
【００２１】
光源１０は、赤色の光を出射する光源（Ｒ）１０Ｒと、緑色の光を出射する光源（Ｇ）１０Ｇと、青色の光を出射する光源（Ｂ）１０Ｂとによって構成されている。例えば、光源１０は、固体光源である。
【００２２】
また、光源１０は、後述する光源駆動回路２１によって駆動されて、点灯周波数（光源駆動周波数）で、時分割で複数の色（Ｒ、Ｇ、Ｂ）の光を順次出射するように構成されている。
【００２３】
具体的には、図２（ａ）及び図３（ａ）に示すように、光源１０は、光源（Ｒ）１０Ｒ、光源（Ｇ）１０Ｇ、光源（Ｂ）１０Ｂを、順番に点灯させることによって、赤色、緑色、青色の光を順次出射するように構成されている。
【００２４】
なお、光源１０には、液晶パネル１４への映像信号の書き込みを考慮して、一定の非点灯期間（黒表示期間）が設けられている。
【００２５】
ここで、かかる非点灯時間は、光源１０の点灯周波数及び液晶パネル１４のリフレッシュレートによらず一定であるため、図２（ｂ）及び図２（ｃ）に示すように、光源１０の点灯周波数及び液晶パネル１４のリフレッシュレートが大きい場合（図２（ｂ）参照）、光源１０の点灯周波数及び液晶パネル１４のリフレッシュレートが小さい場合（図２（ｃ）参照）と比較して、所定期間内において光源１０から出射される光の光量が少なくなり画面が暗くなることが想定される。
【００２６】
クロスプリズム１１は、３つの光源１０（Ｒ）、１０（Ｇ）、１０（Ｂ）から出射された光を反射させてロッドインテグレータ１２に入射するように構成されている光学素子である。
【００２７】
ロッドインテグレータ１２は、入射された光について、当該ロッドインテグレータ１２の内面における全反射作用を利用して、出射面で均一な光量分布になるようにインテグレートする光学素子である。
【００２８】
液晶パネル１４は、光源１０によって出射された光（Ｒ、Ｇ、Ｂ）を画素単位で変調するように構成されているライトバルブ（又は、空間変調素子、光書き込み素子）である。液晶パネル１４は、リフレッシュレート（ライトバルブ駆動周波数）で、後述するライトバルブ駆動回路２２により駆動される。
【００２９】
ここで、液晶パネル１４には、偏光板１３Ａを介して光源から出射された光が入射し、液晶パネル１４から出力された映像は、偏光板１３Ｂを介して投写レンズ１５に入射してスクリーン（図示せず）に投写表示される。
【００３０】
本実施形態では、映像表示装置が、光源１０とクロスプリズム１１とロッドインテグレータ１２と偏光板１３Ａ、１３Ｂと液晶パネル１４とによって構成されており、当該映像表示装置からの光を投写する投写光学系が、投写レンズ１５によって構成されている。
【００３１】
映像表示制御装置１は、輝度レベル検出手段２０と、光源駆動回路２１と、ライトバルブ駆動回路２２とを具備している。
【００３２】
輝度レベル検出手段２０は、映像表示制御装置１に入力された映像信号の輝度レベルを検出するように構成されている。
【００３３】
例えば、輝度レベル検出手段２０は、輝度レベルとして、入力された映像信号の１画面全体における輝度レベルの最頻値を検出するように構成されている（図４（ｂ）及び（ｃ）参照）。
【００３４】
また、輝度レベル検出手段２０は、輝度レベルとして、入力された映像信号の１画面全体における輝度レベルの平均値を検出するように構成されていてもよい。
【００３５】
また、輝度レベル検出手段２０は、入力された映像信号の１画面を複数の領域に分割し、分割された領域の各々における輝度レベルの最大値及び最小値を、輝度レベルとして検出するように構成されていてもよい（図５（ｂ）及び（ｃ）参照）。
【００３６】
光源駆動回路２１は、輝度レベル検出手段２０によって検出された輝度レベルに応じて、光源１０で用いられる点灯周波数を決定し、決定した点灯周波数で光源１０を駆動するように構成されている。
【００３７】
なお、点灯周波数は、光源１０において複数の色の光を順次出射するタイミングを規定するものである。一般的に、点灯周波数が小さい場合、点灯周波数が大きい場合と比較して、カラーブレーク現象が発生しやすいとされている。また、一般的に、画面全体が暗い中で物体が動く場合には、画面全体が明るい中で物体が動く場合に比べて、カラーブレーク現象は視認されやすいとされている。
【００３８】
したがって、光源駆動回路２１は、輝度レベル検出手段２０によって検出された輝度レベルが増加した場合、点灯周波数を小さくし、当該輝度レベルが減少した場合、点灯周波数を大きくするように構成されている。
【００３９】
また、光源駆動回路２１は、輝度レベル検出手段２０によって検出された輝度レベルが所定値以下となった場合、出射する光の単位時間当たりの光量（ピーク光量、瞬間光量）を増加させるように、光源１０を駆動するように構成されていてもよい。
【００４０】
例えば、図３（ｂ）に示すように、光源駆動回路２１は、輝度レベル検出手段２０によって検出された輝度レベルが所定値以下となった場合、出射する光の単位時間当たりの光量をＬ０からＬ１に増加させる。
【００４１】
一方、図３（ｃ）に示すように、光源駆動回路２１は、輝度レベル検出手段２０によって検出された輝度レベルが所定値以上となった場合、出射する光の単位時間当たりの光量をＬ０からＬ２に減少させるように構成されていてもよい。
【００４２】
ライトバルブ駆動回路２２は、輝度レベル検出手段２０によって検出された輝度レベルに応じて、液晶パネル１４において用いられるリフレッシュレートを決定し、決定したリフレッシュレートで液晶パネル１４を駆動するように構成されている。
【００４３】
なお、リフレッシュレートは、光源１０によって出射された光を液晶パネル１４で変調するタイミングを規定するものであり、光源１０の点灯周波数に同期するものである。
【００４４】
ライトバルブ駆動回路２２は、輝度レベル検出手段２０によって検出された輝度レベルが増加した場合、リフレッシュレートを小さくし、かかる輝度レベルが減少した場合、リフレッシュレートを大きくするように構成されている。
【００４５】
（本発明の第１の実施形態に係る映像表示装置の動作）
図４乃至図７を参照して、本実施形態に係る投写型映像表示装置１Ａの動作について説明する。
【００４６】
第１に、図４を参照して、１画面全体における輝度レベルの最頻値を用いて光源１０の点灯周波数及び液晶パネル１４のリフレッシュレートを制御する場合の本実施形態に係る投写型映像表示装置１Ａの動作について説明する。
【００４７】
図４（ａ）に示すように、ステップＳ１０１において、輝度レベル検出手段２０は、入力された映像信号の輝度レベルとして、入力された映像信号の１画面全体における輝度レベルの最頻値Ｌを検出する（図４（ｂ）参照）。
【００４８】
具体的には、輝度レベル検出手段２０は、図４（ｃ）に示すように、入力された映像信号の１画面全体における輝度レベルの分布を用いて、輝度レベルの最頻値Ｌを検出する。
【００４９】
ステップＳ１０２において、輝度レベルの最頻値Ｌが第１の閾値ＬＡと比較して、輝度レベルの最頻値Ｌが第１の閾値ＬＡより小さい場合、本動作はステップＳ１０３に進み、輝度レベルの最頻値Ｌが第１の閾値ＬＡより大きい場合、本動作はステップＳ１０４に進む。
【００５０】
ステップＳ１０３において、光源駆動回路２１は、光源１０の点灯周波数を「ｆＡ」に変更し、ライトバルブ駆動回路２２は、液晶パネル１４のリフレッシュレートを「ｆＡ」に変更する。
【００５１】
ステップＳ１０４において、輝度レベルの最頻値Ｌが第２の閾値ＬＣと比較して、輝度レベルの最頻値Ｌが第２の閾値ＬＣより大きい場合、本動作はステップＳ１０５に進み、輝度レベルの最頻値Ｌが第２の閾値ＬＣより小さい場合、本動作はステップＳ１０６に進む。
【００５２】
ステップＳ１０５において、光源駆動回路２１は、光源１０の点灯周波数を「ｆＣ」に変更し、ライトバルブ駆動回路２２は、液晶パネル１４のリフレッシュレートを「ｆＣ」に変更する。
【００５３】
ステップＳ１０６において、光源駆動回路２１は、光源１０の点灯周波数を「ｆＢ」に変更し、ライトバルブ駆動回路２２は、液晶パネル１４のリフレッシュレートを「ｆＢ」に変更する。
【００５４】
かかる第１の動作を実現するために、光源駆動回路２１及びライトバルブ駆動回路２２は、図４（ｄ）に示す「輝度レベルの最頻値Ｌ」と「点灯周波数又はリフレッシュレート」とを関連付けるテーブルを記憶している。
【００５５】
第２に、図５を参照して、１画面をｎ×ｍの領域に分割し、分割された各領域における輝度レベルの最大値及び最小値を用いて光源１０の点灯周波数及び液晶パネル１４のリフレッシュレートを制御する場合の本実施形態に係る投写型映像表示装置１Ａの動作について説明する。
【００５６】
図５（ａ）に示すように、ステップＳ２０１において、輝度レベル検出手段２０は、入力された映像信号の輝度レベルとして、入力された映像信号の１画面をｎ×ｍの領域に分割し、分割された各領域における輝度レベルＬ１１乃至Ｌｎｍを検出する（図５（ｂ）参照）。
【００５７】
具体的には、輝度レベル検出手段２０は、図５（ｃ）に示すように、各領域における輝度レベルの分布を用いて、各領域における輝度レベルの最頻値Ｌを検出する。
【００５８】
そして、輝度レベル検出手段２０は、検出した各領域における輝度レベルの最頻値Ｌにおける最大値Ｌｍａｘ及び最小値Ｌｍｉｎを、入力された映像信号の輝度レベルとして検出する。
【００５９】
ステップＳ２０２において、輝度レベルの最小値Ｌｍｉｎが第１の閾値ＬＡと比較して、輝度レベルの最小値Ｌｍｉｎが第１の閾値ＬＡより小さい場合、本動作はステップＳ２０３に進み、輝度レベルの最小値Ｌｍｉｎが第１の閾値ＬＡより大きい場合、本動作はステップＳ２０４に進む。
【００６０】
ステップＳ２０３において、光源駆動回路２１は、光源１０の点灯周波数を「ｆＡ」に変更し、ライトバルブ駆動回路２２は、液晶パネル１４のリフレッシュレートを「ｆＡ」に変更する。
【００６１】
ステップＳ２０４において、輝度レベルの最大値Ｌｍａｘが第２の閾値ＬＣと比較して、輝度レベルの最大値Ｌｍａｘが第２の閾値ＬＣより大きい場合、本動作はステップＳ２０５に進み、輝度レベルの最大値Ｌｍａｘが第２の閾値ＬＣより小さい場合、本動作はステップＳ２０６に進む。
【００６２】
ステップＳ２０５において、光源駆動回路２１は、光源１０の点灯周波数を「ｆＣ」に変更し、ライトバルブ駆動回路２２は、液晶パネル１４のリフレッシュレートを「ｆＣ」に変更する。
【００６３】
ステップＳ２０６において、光源駆動回路２１は、光源１０の点灯周波数を「ｆＢ」に変更し、ライトバルブ駆動回路２２は、液晶パネル１４のリフレッシュレートを「ｆＢ」に変更する。
【００６４】
かかる第２の動作を実現するために、光源駆動回路２１及びライトバルブ駆動回路２２は、図５（ｄ）に示す「輝度レベルの最大値Ｌｍａｘ又は最小値Ｌｍｉｎ」と「点灯周波数又はリフレッシュレート」とを関連付けるテーブルを記憶している。
【００６５】
第３に、図６を参照して、１画面全体における輝度レベルの最頻値を用いて光源１０の点灯周波数及び液晶パネル１４のリフレッシュレートを制御する場合の本実施形態に係る投写型映像表示装置１Ａの動作について説明する。
【００６６】
図６（ａ）に示すように、ステップＳ３０１において、輝度レベル検出手段２０は、入力された映像信号の輝度レベルとして、入力された映像信号の１画面全体における輝度レベルの最頻値Ｌを検出する（図６（ｂ）参照）。
【００６７】
具体的には、輝度レベル検出手段２０は、図６（ｃ）に示すように、入力された映像信号の１画面全体における輝度レベルの分布を用いて、輝度レベルの最頻値Ｌを検出する。
【００６８】
ステップＳ３０２において、輝度レベルの最頻値Ｌが第１の閾値ＬＡと比較して、輝度レベルの最頻値Ｌが第１の閾値ＬＡより小さい場合、本動作はステップＳ３０３に進み、輝度レベルの最頻値Ｌが第１の閾値ＬＡより大きい場合、本動作はステップＳ３０４に進む。
【００６９】
ステップＳ３０３において、光源駆動回路２１は、光源１０の点灯周波数を「ｆＡ」に変更すると共に、光源１０から出射する光の単位時間当たりの光量（瞬間光量）を「Ｌ１」に変更し、ライトバルブ駆動回路２２は、液晶パネル１４のリフレッシュレートを「ｆＡ」に変更する。
【００７０】
ステップＳ３０４において、輝度レベルの最頻値Ｌが第２の閾値ＬＣと比較して、輝度レベルの最頻値Ｌが第２の閾値ＬＣより大きい場合、本動作はステップＳ３０５に進み、輝度レベルの最頻値Ｌが第２の閾値ＬＣより小さい場合、本動作はステップＳ３０６に進む。
【００７１】
ステップＳ３０５において、光源駆動回路２１は、光源１０の点灯周波数を「ｆＣ」に変更すると共に、光源１０から出射する光の単位時間当たりの光量（瞬間光量）を「Ｌ２」に変更し、ライトバルブ駆動回路２２は、液晶パネル１４のリフレッシュレートを「ｆＣ」に変更する。
【００７２】
ステップＳ３０６において、光源駆動回路２１は、光源１０の点灯周波数を「ｆＢ」に変更すると共に、光源１０から出射する光の単位時間当たりの光量（瞬間光量）を「Ｌ０」に変更し、ライトバルブ駆動回路２２は、液晶パネル１４のリフレッシュレートを「ｆＢ」に変更する。
【００７３】
かかる第３の動作を実現するために、光源駆動回路２１及びライトバルブ駆動回路２２は、図６（ｄ）に示す「輝度レベルの最頻値Ｌ」と「点灯周波数又はリフレッシュレート」と「瞬間光量」とを関連付けるテーブルを記憶している。
【００７４】
第４に、図７を参照して、１画面をｎ×ｍの領域に分割し、分割された各領域における輝度レベルの最大値及び最小値を用いて光源１０の点灯周波数及び液晶パネル１４のリフレッシュレートを制御する場合の本実施形態に係る投写型映像表示装置１Ａの動作について説明する。
【００７５】
図７（ａ）に示すように、ステップＳ４０１において、輝度レベル検出手段２０は、入力された映像信号の輝度レベルとして、入力された映像信号の１画面をｎ×ｍの領域に分割し、分割された各領域における輝度レベルＬ１１乃至Ｌｎｍを検出する（図７（ｂ）参照）。
【００７６】
具体的には、輝度レベル検出手段２０は、図７（ｃ）に示すように、各領域における輝度レベルの分布を用いて、各領域における輝度レベルの最頻値Ｌを検出する。
【００７７】
そして、輝度レベル検出手段２０は、検出した各領域における輝度レベルの最頻値Ｌにおける最大値Ｌｍａｘ及び最小値Ｌｍｉｎを、入力された映像信号の輝度レベルとして検出する。
【００７８】
ステップＳ４０２において、輝度レベルの最小値Ｌｍｉｎが第１の閾値ＬＡと比較して、輝度レベルの最小値Ｌｍｉｎが第１の閾値ＬＡより小さい場合、本動作はステップＳ４０３に進み、輝度レベルの最小値Ｌｍｉｎが第１の閾値ＬＡより大きい場合、本動作はステップＳ４０４に進む。
【００７９】
ステップＳ４０３において、光源駆動回路２１は、光源１０の点灯周波数を「ｆＡ」に変更すると共に、光源１０から出射する光の単位時間当たりの光量（瞬間光量）を「Ｌ１」に変更し、ライトバルブ駆動回路２２は、液晶パネル１４のリフレッシュレートを「ｆＡ」に変更する。
【００８０】
ステップＳ４０４において、輝度レベルの最大値Ｌｍａｘが第２の閾値ＬＣと比較して、輝度レベルの最大値Ｌｍａｘが第２の閾値ＬＣより大きい場合、本動作はステップＳ４０５に進み、輝度レベルの最大値Ｌｍａｘが第２の閾値ＬＣより小さい場合、本動作はステップＳ４０６に進む。
【００８１】
ステップＳ４０５において、光源駆動回路２１は、光源１０の点灯周波数を「ｆＣ」に変更すると共に、光源１０から出射する光の単位時間当たりの光量（瞬間光量）を「Ｌ２」に変更し、ライトバルブ駆動回路２２は、液晶パネル１４のリフレッシュレートを「ｆＣ」に変更する。
【００８２】
ステップＳ４０６において、光源駆動回路２１は、光源１０の点灯周波数を「ｆＢ」に変更すると共に、光源１０から出射する光の単位時間当たりの光量（瞬間光量）を「Ｌ０」に変更し、ライトバルブ駆動回路２２は、液晶パネル１４のリフレッシュレートを「ｆＢ」に変更する。
【００８３】
かかる第４の動作を実現するために、光源駆動回路２１及びライトバルブ駆動回路２２は、図７（ｄ）に示す「輝度レベルの最大値Ｌｍａｘ又は最小値Ｌｍｉｎ」と「点灯周波数又はリフレッシュレート」と「瞬間光量」とを関連付けるテーブルを記憶している。
【００８４】
なお、上述の実施形態では、輝度レベルとして最頻値を用いる例について説明したが、本発明は、これに限定されず、輝度レベルとして平均値等の他の値を用いた例にも適用可能である。
【００８５】
（本実施形態に係る映像表示装置の作用・効果）
本実施形態に係る投写型映像表示装置１Ａによれば、映像信号の輝度レベルＬが減少して画面が暗くなることが想定される場合に、光源１０の周波数（光源駆動周波数）及び液晶パネル（ライトバルブ）１４のリフレッシュレート（ライトバルブ駆動周波数）を大きくすることによって、カラーブレーク現象の発生を防止することができる。
【００８６】
また、本実施形態に係る投写型映像表示装置１Ａによれば、映像信号の輝度レベルＬが増加してカラーブレークが視認されにくくなる場合、光源１０の周波数（光源駆動周波数）及び液晶パネル（ライトバルブ）１４のリフレッシュレート（ライトバルブ駆動周波数）数を小さくすることによって、画面を明るくすることができる。
【００８７】
本実施形態に係る投写型映像表示装置１Ａによれば、映像信号の輝度レベルＬが所定値以下となり画面が暗くなることが想定される場合、光源１０から出射される光の単位時間当たりの光量を増加させることによって、画面を明るくしてカラーブレーク現象の発生を防止することができる。
【００８８】
本実施形態に係る投写型映像表示装置１Ａによれば、映像信号の輝度レベルＬが所定値以上となり画面が明るくなることが想定される場合、光源１０から出射される光の単位時間当たりの光量を減少させることによって、画面の明るさを維持しながら、カラーブレーク現象の発生を防止することができる。
【００８９】
（変更例１）
本発明に係る映像表示制御装置１は、図８に示すように、虚像型映像表示装置１Ｂに適用されてもよい。
【００９０】
かかる虚像型映像表示装置１Ｂは、投写レンズ１５の代わりに虚像光学系１６を具備している点を除いて、上述の第１の実施形態に係る投写型映像表示装置１Ａと同様の構成である。すなわち、本実施形態に係る虚像型映像表示装置１Ｂに設けられている映像表示制御装置１は、上述の第１の実施形態に係る投写型映像表示装置１Ａに設けられている映像表示制御装置１と同様の機能を具備する。
【００９１】
（変更例２）
本発明に係る映像表示制御装置１は、図９に示すように、直視型映像表示装置１Ｃに適用されてもよい。
【００９２】
ここで、本実施形態に係る直視型映像表示装置１Ｃに設けられている映像表示制御装置１は、上述の第１の実施形態に係る投写型映像表示装置１Ａに設けられている映像表示制御装置１と同様の機能を具備する。
【００９３】
（変更例３）
本発明に係る映像表示制御装置１は、図１０に示すように、背面投写型映像表示装置１Ｄに適用されてもよい。図１０に示すように、背面投写型映像表示装置１Ｄは、上述の第１の実施形態に係る投写型映像表示装置１Ａと、背面ミラー３０と、スクリーン３１とを具備している。
【００９４】
本実施形態に係る背面投写型映像表示装置１Ｄでは、投写型映像表示装置１Ａから出力された映像は、背面ミラー３０で反射してスクリーン３１上に表示されるように構成されている。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９６】
【図１】本発明の第１の実施形態に係る映像表示装置の全体構成図である。
【図２】本発明の第１の実施形態に係る映像表示装置における光源の点灯動作を説明するための図である。
【図３】本発明の第１の実施形態に係る映像表示装置における光源の点灯動作を説明するための図である。
【図４】本発明の第１の実施形態に係る映像表示装置の動作を説明するための図である。
【図５】本発明の第１の実施形態に係る映像表示装置の動作を説明するための図である。
【図６】本発明の第１の実施形態に係る映像表示装置の動作を説明するための図である。
【図７】本発明の第１の実施形態に係る映像表示装置の動作を説明するための図である。
【図８】本発明の第１の実施形態に係る虚像型映像表示装置の全体構成図である。
【図９】本発明の第１の実施形態に係る直視型映像表示装置の全体構成図である。
【図１０】本発明の第１の実施形態に係る背面投写型映像表示装置の全体構成図である。
【符号の説明】
【００９７】
１Ａ…投写型映像表示装置
１Ｂ…虚像型映像表示装置
１Ｃ…直視型映像表示装置
１Ｄ…背面投写型映像表示装置
１０Ｒ、１０Ｇ、１０Ｂ…光源
１１…クロスプリズム
１２…ロッドインテグレータ
１３Ａ、１３Ｂ…偏光板
１４…液晶パネル
１５…投写レンズ
１６…虚像光学系
２１…光源駆動回路
２２…ライトバルブ駆動回路
２３…輝度レベル検出手段
３０…背面ミラー
３１…スクリーン
【図１】
2007094171.tif 000003
【図２】
2007094171.tif 000004
【図３】
2007094171.tif 000005
【図４】
2007094171.tif 000006
【図５】
2007094171.tif 000007
【図６】
2007094171.tif 000008
【図７】
2007094171.tif 000009
【図８】
2007094171.tif 000010
【図９】
2007094171.tif 000011
【図１０】
2007094171.tif 000012